(57)【要約】【課題】ファクシミリ受信の場合は外付け電話機を鳴動させないことと、電力消費量を低減することとを両立する。【解決手段】電話回線から到来するリンガー信号の電圧レベルを外付け電話機が鳴動しない範囲にクリップするクリップ回路と、前記外付け電話機を鳴動させる疑似リンガー信号を生成するリンガー回路と、非通電状態においては前記電話回線と前記外付け電話機とを接続させ、通電状態においては前記リンガー回路と前記外付け電話機とを接続させる第一リレー回路であって、待機期間においては非通電状態である第一リレー回路と、前記電話回線から前記リンガー信号を受信した後、当該リンガー信号に続く通信が電話であるかファクシミリであるかを判断し、電話の場合は前記第一リレー回路を通電状態にして前記リンガー回路に前記疑似リンガー信号を生成させ、ファクシミリの場合は前記第一リレー回路を非通電状態のままにする制御手段と、を備える。【選択図】図１
2014064157.tif 000002
【特許請求の範囲】
【請求項１】
電話回線から到来するリンガー信号の電圧レベルを外付け電話機が鳴動しない範囲にクリップするクリップ回路と、
前記外付け電話機を鳴動させる疑似リンガー信号を生成するリンガー回路と、
非通電状態においては前記電話回線と前記外付け電話機とを接続させ、通電状態においては前記リンガー回路と前記外付け電話機とを接続させる第一リレー回路であって、待機期間においては非通電状態である第一リレー回路と、
前記電話回線から前記リンガー信号を受信した後、当該リンガー信号に続く通信が電話であるかファクシミリであるかを判断し、電話の場合は前記第一リレー回路を通電状態にして前記リンガー回路に前記疑似リンガー信号を生成させ、ファクシミリの場合は前記第一リレー回路を非通電状態のままにする制御手段と、
を備えるリンガー制御回路。
【請求項２】
前記クリップ回路の作動状態または非作動状態を切り換える第二リレー回路を備える、
請求項１に記載のリンガー制御回路。
【請求項３】
前記第二リレー回路は、非通電状態においては前記クリップ回路を作動状態にし、通電状態においては前記クリップ回路を非作動状態にするリレー回路であり、
前記制御手段は、前記電話回線から前記リンガー信号を受信し前記電話回線を閉結した後、前記第二リレー回路を通電状態にする、
請求項２に記載のリンガー制御回路。
【請求項４】
前記クリップ回路のクリップ電圧レベルを調整する調整手段を備える、
請求項１〜請求項３のいずれかに記載のリンガー制御回路。
【請求項５】
請求項１〜４のいずれかに記載のリンガー制御回路を備えるファクシミリ装置。
【請求項６】
非通電状態においては電話回線と外付け電話機とを接続させ通電状態においてはリンガー回路と前記外付け電話機とを接続させる第一リレー回路を非通電状態にし、かつ、前記電話回線から到来するリンガー信号の電圧レベルを前記外付け電話機が鳴動しない範囲にクリップするクリップ回路を作動させた状態で、前記電話回線からの前記リンガー信号を受信する第一ステップと、
前記電話回線から前記リンガー信号を受信した後、当該リンガー信号に続く通信が電話であるかファクシミリであるかを判断し、
電話の場合は、前記第一リレー回路を通電状態にして、前記リンガー回路に疑似リンガー信号を生成させ、
ファクシミリの場合は、前記第一リレー回路を非通電状態のままにする、
第二ステップと、
を含むリンガー制御方法。
【発明の詳細な説明】
【技術分野】
【０００１】
本発明は、リンガー制御回路、リンガー制御方法、ファクシミリ装置に関する。
【背景技術】
【０００２】
従来、外付け電話機を鳴動させるためのリンガー回路を備えるファクシミリ装置が知られている（例えば特許文献１）。
【先行技術文献】
【特許文献】
【０００３】
【特許文献１】特開平５−１３０３１２号公報
【発明の概要】
【発明が解決しようとする課題】
【０００４】
ファクシミリ装置がリンガー回路を備えている場合、例えば図８に示すように、外付け電話機の接続先としてリンガー回路と電話回線とをリレー回路（Ｒｙ１）で切り換えることができるようになっている。電話を着信した場合は外付け電話機を鳴動させるがファクシミリを着信した場合は外付け電話機を鳴動させない第一の仕様（例：日本国内モデル）の場合、待機期間においては、リレー回路はリンガー回路と外付け電話機とを接続した状態となっている（図８Ａを参照）。そしてファクシミリ装置は、電話回線からのリンガー信号を受信した後、ファクシミリ着信と判断した場合はファクシミリ受信動作を行う。電話の着信と判断した場合はファクシミリ装置は、リンガー回路によって外付け電話機を鳴動させ、外付け電話機のオフフックを検出するとリレー回路を切り換えて電話回線と外付け電話機とを接続する。外付け電話機のオンフック（通話終了）を検出すると、ファクシミリ装置は再びリレー回路を戻してリンガー回路と外付け電話機とを接続させる。
一方、電話もファクシミリも着信時には外付け電話機を鳴動させる第二の仕様（例：日本国外モデル）の場合、常にリレー回路は電話回線と外付け電話機とを接続した状態となっている（図８Ｂを参照）。第二の仕様の場合、リンガー回路は不要であるためリンガー回路は実装されない場合もある。電話回線から到来したリンガー信号によって電話の場合もファクシミリの場合も外付け電話機が鳴動する。ユーザーが外付け電話の受話器を取ってファクシミリ音が聞こえた場合はユーザーの指示によりファクシミリ装置はファクシミリ受信動作を行い、ファクシミリ音が聞こえない場合ユーザーはそのまま通話を行う。
【０００５】
開発コストを削減するために、仕様が異なっていても回路基板を共通にできることが望ましい。しかし上述のように、第一の仕様と第二の仕様とではリレー回路のデフォルト状態（待機期間における状態）が異なる。デフォルト状態においてリレー回路を通電させる（リレー内部のコイルに電流を流す）構成は、デフォルト状態においてリレー回路を通電させない構成よりも電力消費量が多くなる。第一の仕様を採用する機種より第二の仕様を採用する機種の方が出荷台数が多い場合、第二の仕様を採用する機種にデフォルト状態でリレー回路を通電させない構成が回路基板として採用される。コスト削減のため第一の仕様を採用する機種も第二の仕様を採用する機種と共通の回路基板を使用するため、第一の仕様を採用する機種のデフォルト状態を実現するためにはリレー回路を通電させなければならない（図８Ａを参照）。その結果、第一の仕様の機種は第二の仕様の機種と比較して電力消費量が多くなるという問題があった。
本発明は、上記課題に鑑みてなされたもので、ファクシミリ受信の場合は外付け電話機を鳴動させないことと、電力消費量を低減することとを両立することを目的とする。
【課題を解決するための手段】
【０００６】
上記目的を達成するためのリンガー制御回路は、クリップ回路と、リンガー回路と、第一リレー回路と、制御手段と、を備える。クリップ回路は、電話回線から到来するリンガー信号の電圧レベルを外付け電話機が鳴動しない範囲にクリップする。リンガー信号は、電話機を鳴動させるための呼び出し信号である。リンガー回路は、外付け電話機を鳴動させる疑似リンガー信号を生成する。疑似リンガー信号は、電話回線から到来するリンガー信号と同様に電話機を鳴動させるための信号である。第一リレー回路は、非通電状態においては電話回線と外付け電話機とを接続させ、通電状態においてはリンガー回路と外付け電話機とを接続させる。また第一リレー回路は、待機期間においては非通電状態である。本明細書において待機期間とは、電話の通信やファクシミリの通信を行っていない期間を意味する。制御手段は、電話回線からリンガー信号を受信した後、当該リンガー信号に続く通信が電話であるかファクシミリであるかを判断し、電話の場合は第一リレー回路を通電状態にしてリンガー回路に疑似リンガー信号を生成させ、ファクシミリの場合は第一リレー回路を非通電状態のままとする。
【０００７】
本発明の場合、リンガー信号を受信した後、電話である場合に第一リレー回路を通電状態にし、ファクシミリの場合は第一リレー回路を非通電状態のままにするため、電話の着信によって外付け電話機を鳴動させる期間以外の期間（例：待機期間、ファクシミリ受信期間等）は第一リレー回路は非通電状態であるので、待機期間において第一リレー回路を通電状態とする構成と比較すると電力消費量を低減することができる。また、待機期間においては第一リレー回路によって電話回線と外付け電話機とが接続されているが、リンガー信号が電話回線から到来してもクリップ回路によってリンガー信号は外付け電話機が鳴動しない範囲にクリップされるため、ファクシミリであっても電話であってもリンガー信号によって外付け電話機が鳴動することはない。したがって本発明によると、ファクシミリ受信の場合は外付け電話機を鳴動させないことと、電力消費量を低減することとを両立することができる。なお電話の場合は、リンガー信号によって外付け電話機を鳴動させることはないが、リンガー回路による疑似リンガー信号によって外付け電話機を鳴動させることができる。
【０００８】
さらに、上記目的を達成するためのリンガー制御回路は、クリップ回路の作動状態または非作動状態を切り換える第二リレー回路を備えてもよい。
この第二リレー回路を備えることにより、クリップ回路を作動させるか否かを切り換えることができる。
【０００９】
さらに、上記目的を達成するためのリンガー制御回路において、第二リレー回路は、非通電状態においてはクリップ回路を作動状態にし、通電状態においてはクリップ回路を非作動状態にするリレー回路であってもよい。その場合に制御手段は、電話回線からリンガー信号を受信し電話回線を閉結した後、第二リレー回路を通電状態にしてもよい。
通話期間中やファクシミリ通信中にクリップ回路が動作することにより通信品質に影響を及ぼす可能性がある場合は、通話期間中やファクシミリ通信中にはクリップ回路を動作させないようにすることができる。その結果、通信品質を担保することができる。
【００１０】
さらに、上記目的を達成するためのリンガー制御回路は、クリップ回路においてクリップする電圧の範囲を調整する調整手段を備えてもよい。
外付け電話機の種類によってリンガー信号として認識する電圧の振幅が異なる可能性がある。そのため、様々な種類の外付け電話機のそれぞれに応じた範囲（当該外付け電話機が鳴動しない範囲）に電圧をクリップできるように調整する手段を設けることにより、様々な外付け電話機において電話回線からのリンガー信号によって鳴動しないように調整することができる。
【００１１】
さらに本発明は、上述のリンガー制御回路を備えるファクシミリ装置の発明としても成立する。ファクシミリ装置は、プリント機能やスキャン機能等をさらに備えていてもよい。
【００１２】
また、本発明は、リンガー制御方法の発明としても成立する。すなわち、上記目的を達成するためのリンガー制御方法は、第一ステップと第二ステップとを含む。第一ステップでは、非通電状態においては電話回線と外付け電話機とを接続させ通電状態においてはリンガー回路と外付け電話機とを接続させる第一リレー回路を非通電状態にし、かつ、電話回線から到来するリンガー信号の電圧レベルを外付け電話機が鳴動しない範囲にクリップするクリップ回路を作動させた状態で、電話回線からのリンガー信号を受信する。第二ステップでは、電話回線からリンガー信号を受信した後、当該リンガー信号に続く通信が電話であるかファクシミリであるかを判断する。そして、電話の場合は、第一リレー回路を通電状態にして、リンガー回路に疑似リンガー信号を生成させ、ファクシミリの場合は、第一リレー回路を非通電状態のままにする。
このようなリンガー制御方法を採用することにより、ファクシミリ受信の場合は外付け電話機を鳴動させないことと、電力消費量を低減することとを両立することができる。
【図面の簡単な説明】
【００１３】
【図１】（１Ａ）および（１Ｂ）はＭＦＰの構成を示すブロック図。
【図２】第一の仕様におけるファクシミリ着信の動作を示すシーケンスチャート。
【図３】第一の仕様における電話着信の動作を示すシーケンスチャート。
【図４】第二の仕様におけるファクシミリ着信の動作を示すシーケンスチャート。
【図５】第二の仕様における電話着信の動作を示すシーケンスチャート。
【図６】他の実施形態にかかるＭＦＰの構成を示すブロック図。
【図７】他の実施形態にかかるＭＦＰの構成を示すブロック図。
【図８】（８Ａ）および（８Ｂ）は従来のファクシミリ装置の構成を示すブロック図。
【発明を実施するための形態】
【００１４】
以下、本発明の実施の形態を添付図面を参照しながら説明する。尚、各図において対応する構成要素には同一の符号が付され、重複する説明は省略される。
１．第一実施形態
１−１．構成
図１Ａは、本発明にかかるファクシミリ装置としてのマルチファンクションプリンター（ＭＦＰ）１の構成を示すブロック図である。ＭＦＰ１は、ファクシミリ機能とスキャン機能とプリント機能とを有する。これらの機能を実現するためにＭＦＰ１は、制御部（制御手段）１０と、画像読取部２０と、画像形成部３０と、ユーザーＩ／Ｆ部４０と、第一リレー回路Ｒｙ１と、リンガー回路６２と、第二リレー回路Ｒｙ２と、オーバーボルテージプロテクター（Over Voltage Protector：ＯＶＰ）６０とを備える。外付け電話機１００は、ＭＦＰ１を介して電話回線と接続することができる。
【００１５】
制御部１０はＭＦＰ１の全体を制御するためのメインコントローラーであり、ＣＰＵ，ＲＡＭ，ＲＯＭ等を備え、ＣＰＵはＲＯＭに記録された各種プログラムを、ＲＡＭ等を用いて実行することができる。また制御部１０は、トーン検出部、リングバックトーン発生部、符号化部、復号化部、モデム、フック検出部、リンガー検出部（いずれも不図示）等の専用回路を備えている。トーン検出部は、電話回線から到来する特定周波数のトーン信号を検出する。リングバックトーン発生部は、リングバックトーン信号を発生して電話回線に出力する。符号化部は、画像読取部２０で読み取った画像データを符号化しデータサイズを削減する。モデムは、符号化されたデータ（デジタル）を変調してアナログ信号を生成し電話回線に出力する。またモデムは、電話回線から受信したアナログ信号を復調して符号化されたデータ（デジタル）を得る。復号化部は符号化されたデータを復号化し画像データを得る。フック検出部は、外付け電話機１００の受話器のフック状態を検出する。リンガー検出部は、電話回線から到来するリンガー信号を検出する。リンガー信号は、電話機の呼び出しベルを鳴動させるための呼び出し信号であり、振幅約１４０Ｖ、周波数１６Ｈｚの信号である。後述するＯＶＰ６０が作動した状態においては、リンガー検出部はクリップ後のリンガー信号（例えば振幅は５０Ｖ程度にクリップされ、周波数は変化なく１６Ｈｚの信号）を検出する。リンガー検出部は、対象の信号の振幅が、リンガー信号として検出する最小の振幅を超えてさえいれば、周波数に基づいてリンガー信号として検出することができる。そのため、ＯＶＰ６０によるクリップの範囲（例えば５０Ｖ）が当該最小の振幅より大きければ、ＯＶＰ６０によって例えば５０Ｖ程度の振幅にクリップされた信号もリンガー信号として検出することができる。
【００１６】
画像読取部２０は、原稿載置部、原稿載置部に載置された原稿を搬送するＡＤＦ部、ＡＤＦ部により搬送された原稿を光学的に読み取るカラーラインイメージセンサー等を備え、制御部１０の制御に応じて原稿を読み取って画像データを取得する。画像形成部３０は、印刷媒体を搬送するための機構を備えた搬送部と、搬送方向と直行する方向に往復動するキャリッジと、キャリッジに搭載され各色のインクを内包するインクカートリッジと印刷ヘッドと、を備えるインクジェット式のプリンターとして構成され、制御部１０の制御に応じて制御部１０から受け渡された印刷データに基づいて印刷媒体に画像を形成する。ユーザーＩ／Ｆ部４０は表示パネルやキーを備え、制御部１０の制御に応じて各種情報を表示パネルに表示し、また、ユーザーのキー入力に応じた指示内容を制御部１０に伝達する。ユーザーＩ／Ｆ部４０を介してユーザーは後述する二つの仕様のうちのいずれかを選択することができる。
【００１７】
リンガー回路６２は、電話回線から到来するリンガー信号（クリップされていないリンガー信号）と同等の波形の疑似リンガー信号を生成し出力する。第一リレー回路Ｒｙ１は、外付け電話機１００の接続先を電話回線またはリンガー回路６２に切り換える電磁リレーである。スイッチＳＷ１がオフの場合は、第一リレー回路Ｒｙ１は非通電状態であり、非通電状態においては外付け電話機１００は電話回線と接続する。スイッチＳＷ１がオンの場合はコイルＬ１に電流が流れ、第一リレー回路Ｒｙ１は通電状態となる。通電状態において外付け電話機１００はリンガー回路６２と接続する。
【００１８】
ＯＶＰ６０は、電話回線から到来するリンガー信号の電圧レベルを外付け電話機１００が鳴動しない程度の振幅（例えばpeak to peakで５０Ｖ程度）にクリップするクリップ回路である。ＯＶＰ６０の一方の端子は電話回線に接続する信号線に接続されており、他方の端子は第二リレー回路Ｒｙ２を介して、電話回線に接続する信号線に接続されている。第二リレー回路Ｒｙ２は、ＯＶＰ６０の作動／非作動を切り換える電磁リレーである。スイッチＳＷ２がオフの場合は、第二リレー回路Ｒｙ２は非通電状態であり、第二リレー回路Ｒｙ２が非通電状態においてＯＶＰ６０は通電し作動状態となる。スイッチＳＷ２がオンの場合はコイルＬ２に電流が流れ、第二リレー回路Ｒｙ２は通電状態となる。第二リレー回路Ｒｙ２が通電状態においてＯＶＰ６０は通電しないため非作動状態となる。
【００１９】
１−２．動作
ＭＦＰ１のユーザーは、ファクシミリおよび電話の着信の際の呼び出し音の有無に関する次の二つの仕様を、ユーザーＩ／Ｆ部４０を用いて選択することができる。第一の仕様は、電話を着信した場合は外付け電話機１００を鳴動させるがファクシミリを着信した場合は外付け電話機１００を鳴動させないという仕様である。第二の仕様は、電話もファクシミリも着信時には外付け電話機１００を鳴動させるという仕様である。次に、この二つの仕様におけるファクシミリ着信時および電話着信時の動作について順に説明する。
【００２０】
（第一の仕様）
図２は、第一の仕様におけるファクシミリ着信の際の動作を示すシーケンスチャートである。第一の仕様が選択されている場合、待機期間においては、制御部１０はスイッチＳＷ１およびスイッチＳＷ２をともにオフにしている（ステップＳ１００）。したがって、第一リレー回路Ｒｙ１は図１Ａに示すように非通電状態であり、外付け電話機１００は電話回線と接続している。また、第二リレー回路Ｒｙ２も非通電状態であり、ＯＶＰ６０は作動状態となっている。なお、発信元の装置とＭＦＰ１との間には複数の交換機が存在しており、図２〜図５においては、発信元の装置と交換機との間の通信や交換機間の通信については図示と説明を省略する。
【００２１】
発信元の装置がＭＦＰ１の電話番号をダイヤルしたことに応じてリンガー信号が電話回線から（交換機から）到来する（ステップＳ１０５）と、ＯＶＰ６０により振幅が約１４０Ｖであるリンガー信号は振幅５０Ｖ程度にクリップされる。第一リレー回路Ｒｙ１は非通電状態であるため振幅が５０Ｖ程度にクリップされたリンガー信号は外付け電話機１００にも伝達されるが、振幅５０Ｖ程度では外付け電話機１００は鳴動しない。制御部１０はクリップされたリンガー信号をリンガー検出部によって検出すると、電話回線を閉結し、スイッチＳＷ２をオンにする（ステップＳ１１０）。電話回線を閉結することにより、直近の交換機とＭＦＰ１との間に閉ループが形成され直流電流が流れる状態となる。スイッチＳＷ２がオンになることによって、第二リレー回路Ｒｙ２は通電状態となり、ＯＶＰ６０は非作動状態となる。すなわち、電話回線から到来する信号がＯＶＰ６０によってクリップされないようにする。この結果、後続のファクシミリ通信のための信号（電話の場合は通話のための音声信号）にＯＶＰ６０が影響を及ぼしてしまうことを防止することができ、通信品質を担保することができる。なお、後続のファクシミリ通信のための信号（電話の場合は通話のための音声信号）の振幅が５０Ｖ以内（ＯＶＰ６０によってクリップする対象となる電圧を超えない範囲内）であれば、ＯＶＰ６０が通信品質に影響を及ぼすことはないと考えられるため、スイッチＳＷ２はオフ（第二リレー回路Ｒｙ２は非通電状態、すなわちＯＶＰ６０が作動状態）のままでもよい。第二リレー回路Ｒｙ２が非通電状態のままであれば電力消費量を低減できる。
【００２２】
電話回線を閉結した後、制御部１０はリングバックトーン発生部によりリングバックトーン信号を電話回線に送出する（ステップＳ１１５）。発信元の装置がファクシミリを送信する場合、ＣＮＧ信号が発信側から送信される（ステップＳ１２０）。制御部１０はトーン検出部によりＣＮＧ信号を検出すると、ファクシミリであると判断しＧ３方式等のファクシミリ伝送制御手順に移行し、所定の制御信号（ＣＥＤ，ＤＩＳ，ＤＣＳ，ＴＣＦ，ＣＦＲ等）を発信元の装置と交換する（ステップＳ１２５）。続いて制御部１０は、発信元の装置からのファクシミリ電文である画信号を受信し（ステップＳ１３０）、ファクシミリ伝送制御手順に応じた所定の制御信号（ＥＯＰ，ＭＣＦ等）を交換し（ステップＳ１３５）、制御部１０はＤＣＮ信号を検出する（ステップＳ１４０）ことによりファクシミリ通信の完了を認識する。制御部１０はＤＣＮ信号を検出した後、電話回線を開放し、スイッチＳＷ１およびスイッチＳＷ２をオフにする（ステップＳ１４５）。
【００２３】
ステップＳ１３０で受信した画信号は制御部１０が備えるモデムによって復調され、復号化部によって画像データに復号される。制御部１０は、復号された画像データをＲＡＭに蓄積し、ファクシミリ受信時の動作として指定された動作を行う。例えば受信した画像データはユーザーの指示があるまで印刷せずに蓄積する場合はそのまま画像データをＲＡＭに蓄積しておく。また例えば受信した画像データは直ちに印刷するように指定されている場合は、画像データに印刷のための所定の画像処理を施し画像形成部３０に処理後の印刷データを受け渡して印刷を実行させる。
【００２４】
図３は、第一の仕様における電話着信の場合の動作を示すシーケンスチャートである。ステップＳ２００〜Ｓ２１５は図２のステップＳ１００〜１１５と同様である。制御部１０は、ステップＳ２１０で電話回線を閉結した後に予め決められた所定時間以内にＣＮＧ信号が検出できないことから、ファクシミリではなく電話であると判断し、スイッチＳＷ１をオンにする（ステップＳ２２０）ことによって第一リレー回路Ｒｙ１を通電状態にし、リンガー回路６２と外付け電話機１００とを接続させる。そして制御部１０はリンガー回路６２に疑似リンガー信号を生成させる（ステップＳ２２５）。リンガー回路６２が生成した疑似リンガー信号により外付け電話機１００は鳴動する（ステップＳ２３０）。外付け電話機１００の受話器が取られる（ステップＳ２３５）と、制御部１０はフック検出部によりオフフックを検出しスイッチＳＷ１をオフにする（ステップＳ２４０）。スイッチＳＷ１を再びオフにすることにより第一リレー回路Ｒｙ１によって外付け電話回線と外付け電話機１００とが接続し、通話可能な状態となる（ステップＳ２４５）。なお、ステップＳ２１０で電話回線を閉結してからステップＳ２４０でオフフックを検出するまで制御部１０は繰り返しリングバックトーン信号を電話回線に送出する。
【００２５】
外付け電話機１００の受話器が下ろされる（ステップＳ２５０）と、制御部１０はフック検出部によりオンフックを検出して電話回線を開放し（ステップＳ２５５）、再び待機期間に戻る。
以上、説明したように、第一の仕様の場合、待機期間においてスイッチＳＷ１およびスイッチＳＷ２はオフである（第一リレー回路および第二リレー回路は非通電状態である）ため、待機期間においてリレー回路が通電状態である構成（例えば図８Ａの構成）と比較すると、電力消費量を低減できる。また、スイッチＳＷ２をオンにする（第二リレー回路Ｒｙ２を通電状態にする）期間はファクシミリ受信動作の期間や電話の通話期間であり、これらの期間は待機期間と比較すると圧倒的に短いため、待機期間においてリレー回路が通電状態である構成と比較すると電力消費量を低減できる。
【００２６】
（第二の仕様）
図４は、第二の仕様におけるファクシミリ着信の際の動作を示すシーケンスチャートである。第二の仕様が選択されている場合、待機期間においては、制御部１０はスイッチＳＷ１をオフとし、スイッチＳＷ２をオンとしている（ステップＳ３００）。したがって、第一リレー回路Ｒｙ１は図１Ａに示すように非通電状態であり、外付け電話機１００は電話回線と接続している。一方、第二リレー回路Ｒｙ２は通電状態であり、ＯＶＰ６０は非作動状態となっている。
【００２７】
リンガー信号が電話回線から到来する（ステップＳ３０５）と、外付け電話機１００が鳴動する（ステップＳ３１０）。第一リレー回路Ｒｙ１によって外付け電話機１００と電話回線とが接続されており、ＯＶＰ６０は非作動状態であるため、振幅が１４０Ｖ程度のリンガー信号によって外付け電話機１００が鳴動する。外付け電話機１００の呼び出し音を聞いてユーザーが外付け電話機１００の受話器を取る（ステップＳ３１５）と、制御部１０は外付け電話機１００のオフフックを検出し電話回線を閉結する（ステップＳ３２０）。ファクシミリの場合、ＣＮＧ信号が送信される（ステップＳ３２５）ため、受話器から聞こえる音によってユーザーはファクシミリの着信であることを認識し、ＭＦＰ１に対してファクシミリ受信動作を開始するように指示する。具体的には例えば、ＭＦＰ１のユーザーＩ／Ｆ部４０のスタートボタンをユーザーが押下する。
【００２８】
制御部１０はファクシミリ受信動作開始の指示を受け付ける（ステップＳ３３０）と図２のステップＳ１２５〜Ｓ１３５と同様に、ファクシミリ伝送制御手順を実行する（ステップＳ３４５〜Ｓ３５５）。ユーザーはファクシミリ受信動作の開始を指示すると外付け電話機１００の受話器を下ろし（ステップＳ３３５）、制御部１０はオフフックを検出する（ステップＳ３４０）。なお、ステップＳ３２０の電話回線の閉結は、例えばリンガー信号を検出してから所定時間が経過してもオフフックが検出されない場合に自動的に行われてもよい。制御部１０はＤＣＮ信号を検出する（ステップＳ３６０）と、電話回線を開放する（ステップＳ３６５）。
【００２９】
図５は、第二の仕様における電話着信の際の動作を示すシーケンスチャートである。ステップＳ４００〜Ｓ４２０は図４のステップＳ３００〜Ｓ３２０と同様である。ステップＳ４２０で電話回線を閉結すると、通話可能な状態となる（ステップＳ４２５）。外付け電話機１００の受話器が下ろされると（ステップＳ４３０）、制御部１０はオンフックを検出し電話回線を開放する（ステップＳ４３５）。
第二の仕様の場合は、少なくとも待機期間において第二リレー回路Ｒｙ２を通電状態にするため第一の仕様の場合よりも電力消費量が多くなるが、それでも第二の仕様を好むユーザーのニーズに応えることができる。
【００３０】
なお、ユーザーＩ／Ｆ部４０を介してユーザーが第一の仕様または第二の仕様を選択可能な構成ではなく、第二の仕様のみを採用している機種の場合、図１Ｂに示すように、ＯＶＰ６０と第二リレー回路Ｒｙ２とリンガー回路６２とを回路基板に実装しないようにしてもよい（６０，Ｒｙ２，６２の破線は実装していない状態を示している）。ＯＶＰ６０と第二リレー回路Ｒｙ２とリンガー回路６２とを回路基板に実装せず、スイッチＳＷ１およびスイッチＳＷ２を常にオフにしておくことにより、第二の仕様を実現することができる。すなわち図４のステップＳ３００、図５のステップ４００において、スイッチＳＷ１およびスイッチＳＷ２をオフとすれば、それ以降の動作は図４および図５で説明した内容と同様にすることで第二の仕様を実現できる。ＯＶＰ６０と第二リレー回路Ｒｙ２とリンガー回路６２とを基板に実装しない状態でスイッチＳＷ１およびスイッチＳＷ２を常にオフとすることで第二の仕様を実現する構成は、ＯＶＰ６０と第二リレー回路Ｒｙ２とリンガー回路６２とを基板に実装した状態でスイッチＳＷ１をオフとしスイッチＳＷ２をオンとすることで第二の仕様を実現する構成と比較すると電力消費量を低減することができる。
【００３１】
以上で説明したように、第一の仕様と第二の仕様をユーザーＩ／Ｆ部４０によって選択可能な機種Ａ、第一の仕様のみを採用する機種Ｂ、第二の仕様のみを採用する機種Ｃは、回路基板を共通にできるので、開発コストの抑制に寄与することができる。また、回路基板を共通にできることに加えて、機種Ａにおいて第一の仕様が選択されている場合や機種Ｂにおいては、第一の仕様の実現と電力消費量の低減という目的とを両立させることができる。なお機種Ｃは、機種ＡおよびＢと回路基板を共通にできることに加えて、ＯＶＰ６０・第二リレー回路Ｒｙ２・リンガー回路６２の非実装により、第二の仕様の実現と電力消費量の低減という目的とを両立させることができる。
【００３２】
２．他の実施形態
尚、本発明の技術的範囲は、上述した実施例に限定されるものではなく、本発明の要旨を逸脱しない範囲内において種々変更を加え得ることは勿論である。例えば、図６に示すように、ＯＶＰ６０は、第一リレー回路Ｒｙ１と外付け電話機１００との間に設けられても良い。
【００３３】
なお、ＯＶＰ６０においてクリップする電圧の範囲をユーザーＩ／Ｆ部４０を介してユーザーが指定することができてもよい。外付け電話機１００の個体差や内部仕様に応じて、リンガー信号として識別する電圧レベルの範囲が異なる可能性がある。そのため、ユーザーＩ／Ｆ部４０を介して外付け電話機１００の呼び出しベルが鳴動しない範囲にＯＶＰ６０がリンガー信号をクリップできるように調整できることが望ましい。具体的には例えば、図７に示すようにクリップする電圧の範囲別に複数個のＯＶＰ（例えば第一ＯＶＰ６０は振幅５０Ｖにクリップし、第二ＯＶＰ６４は振幅６０Ｖにクリップする等）を回路基板に実装し、ユーザーＩ／Ｆ部４０を介したユーザーの選択に応じて、複数個のＯＶＰのうち作動させるＯＶＰを切り換えるようにしてもよい。なおこの場合、ユーザーＩ／Ｆ部４０、制御部１０、スイッチＳＷ２、第二リレー回路Ｒｙ２、スイッチＳＷ３、第三リレー回路Ｒｙ３が調整手段に相当する。
【００３４】
なお、外付け電話機１００を鳴動させないためには、リンガー信号の振幅は小さいほどよいが、クリップされたリンガー信号を制御部１０（リンガー検出部）がリンガー信号として検出できる程度の振幅は保たれている必要がある。したがって制御部１０においてリンガー信号として検出できる最小の振幅を開発段階において取得しておき、当該振幅にクリップするＯＶＰを採用し回路基板に実装するようにしてもよい。
【符号の説明】
【００３５】
１…ＭＦＰ、１０…制御部、２０…画像読取部、３０…画像形成部、４０…ユーザーＩ／Ｆ部、６０…ＯＶＰ（第一ＯＶＰ）、６２…リンガー回路、６４…ＯＶＰ（第二ＯＶＰ）、１００…外付け電話機、Ｒｙ１…第一リレー回路、Ｒｙ２…第二リレー回路、Ｒｙ３…第三リレー回路、ＳＷ１…スイッチ、ＳＷ２…スイッチ、ＳＷ３…スイッチ
【図１】
2014064157.tif 000003
【図２】
2014064157.tif 000004
【図３】
2014064157.tif 000005
【図４】
2014064157.tif 000006
【図５】
2014064157.tif 000007
【図６】
2014064157.tif 000008
【図７】
2014064157.tif 000009
【図８】
2014064157.tif 000010